(57)【特許請求の範囲】
【請求項１】
感光体と、前記感光体に対向配置され、複数の発光部が配列されて前記感光体を露光する露光部材と、前記発光部が配列された配列方向において前記露光部材の両側に配置された本体フレームとを備えた画像形成装置であって、
前記本体フレームは、金属からなり、
前記露光部材は、外装が樹脂からなる露光部材本体と、導電性を有し、前記配列方向において前記露光部材本体より長く形成され、前記露光部材本体の外装と密着して前記露光部材本体を保持する保持部材とを有し、当該保持部材が電気的に接地されていることを特徴とする画像形成装置。
【請求項２】
前記保持部材は、前記配列方向の両側で接地されていること特徴とする請求項１に記載の画像形成装置。
【請求項３】
前記保持部材に当接することで前記露光部材を一側の前記本体フレームに付勢する付勢部材を備え、
前記露光部材は、前記一側の本体フレームに当接することで前記配列方向に位置決めされ、
前記保持部材は、前記付勢部材を介して電気的に接地されていることを特徴とする請求項２に記載の画像形成装置。
【請求項４】
前記保持部材に当接することで前記露光部材を前記配列方向に付勢する付勢部材を前記保持部材の両側に備え、
前記両側の付勢部材は一方が他方より付勢力が大きいことで、前記露光部材は、一側の本体フレームに当接して前記配列方向に位置決めされ、
前記保持部材は、前記両側の付勢部材を介して電気的に接地されていることを特徴とする請求項２に記載の画像形成装置。
【請求項５】
前記露光部材本体は、所定の画素ピッチに応じて配列され、選択的に駆動されて前記感光体の表面を露光する複数の発光素子を支持体で支持したヘッド構造を有することを特徴とする請求項１から請求項４のいずれか１項に記載の画像形成装置。
【発明の詳細な説明】
【技術分野】
【０００１】
本発明は、感光体と露光部材を近接配置した画像形成装置に関する。
【背景技術】
【０００２】
従来、感光体と露光部材（例えば、ＬＥＤ（Light Emitting Diode）ヘッドなど）の光射出面とを近接配置して感光体を露光する方式の画像形成装置が知られている。
このような露光部材には、発光のために大きな電流が流される。そのため、電磁波の発生などにより周囲の機器に悪影響を及ぼさないようにするため、露光部材本体からアースを取る必要がある。
例えば、特許文献１においては、ＬＥＤ本体にコイルバネを接しさせ、さらにコイルバネから板バネ、アース線、本体フレームを介してＬＥＤヘッドを電気的に接地させている。
【０００３】
【特許文献１】特開２００６−０８８５９８号公報
【発明の開示】
【発明が解決しようとする課題】
【０００４】
しかしながら、特許文献１のような接地の仕方は、ＬＥＤ本体が金属などの導電性材料でできていれば適用できるが、樹脂で外装されていた場合には適用できない。また、ＬＥＤ本体から発生しうる電磁波をコイルバネからのアース系統のみでは十分に吸収することはできない。
本発明は、このような背景に鑑みなされたもので樹脂の外装を有する露光部材の接地を十分に実現するとともに、露光部材で発生しうる電磁波を吸収できる画像形成装置を提供することを目的とする。
【課題を解決するための手段】
【０００５】
前記した目的を達成するため、本発明は、感光体と、前記感光体に対向配置され、複数の発光部が配列されて前記感光体を露光する露光部材と、前記発光部が配列された配列方向において前記露光部材の両側に配置された本体フレームとを備えた画像形成装置であって、前記本体フレームは、金属からなり、前記露光部材は、外装が樹脂からなる露光部材本体と、導電性を有し、前記配列方向において前記露光部材本体より長く形成され、前記露光部材本体の外装と密着して前記露光部材本体を保持する保持部材とを有し、当該保持部材が電気的に接地されていることを特徴とする。
【０００６】
このように構成された画像形成装置によれば、露光部材本体の表面に生じた電荷は、露光部材本体を保持する保持部材に吸収される。そして、保持部材が電気的に接地されていることにより、この電気は、グラウンドへ逃がされる。また、発光部の配列方向の両側にある本体フレームは、金属製であるととともに、保持部材は、露光部材本体よりも、発光部の配列方向において長く形成されているので、露光部材本体に流れる電流により発生する電磁波を広い範囲で吸収して、他の機器へ与える影響を少なくすることができる。さらに、露光部材本体の外装を樹脂とすることで、露光部材本体の大きさを小型化することができる。
【発明の効果】
【０００７】
本発明の画像形成装置によれば、樹脂の外装からなる露光部材本体を有する画像形成装置において、露光部材本体の接地を十分に確保するとともに、露光部材本体で発生する電磁波を吸収して、他の機器への影響を少なくすることができる。また、露光部材本体の小型化を実現して、画像形成装置の小型化に貢献することができる。
【発明を実施するための最良の形態】
【０００８】
次に、本発明の実施形態について、適宜図面を参照しながら詳細に説明する。参照する図面において、図１は、画像形成装置の一例としてのカラープリンタの全体構成を示す断面図であり、図２は、図１のＬＥＤユニットおよびプロセスカートリッジの拡大図であり、図３の（ａ）は、ＬＥＤユニットの分解斜視図であり、（ｂ）は、ガイドローラの拡大斜視図であり、図４は、ＬＥＤユニットとサイドプレートの位置関係を示す側面図であり、図５は、感光ドラムおよびＬＥＤユニットを後から見た図である。
【０００９】
ここで、以下の説明において、方向は、カラープリンタ使用時のユーザを基準にした方向で説明する。すなわち、図１において、紙面に向かって左側を「前側」、紙面に向かって右側を「後側」とし、紙面に向かって奥側を「左側」、紙面に向かって手前側を「右側」とする。また、紙面に向かって上下方向を「上下方向」とする。
【００１０】
図１に示すように、カラープリンタ１は、本体筐体１０内に、用紙Ｐを供給する給紙部２０と、給紙された用紙Ｐに画像を形成する画像形成部３０と、画像が形成された用紙Ｐを排出する排紙部９０とを備えている。
【００１１】
本体筐体１０の上部には本体筐体１０に対し相対的に開閉自在なアッパーカバー１２が、後側に設けられたヒンジ１２Ａを支点として上下に回動自在に設けられている。アッパーカバー１２の上面は、本体筐体１０から排出された用紙Ｐを蓄積する排紙トレイ１３となっており、下面には後述する露光部材の一例としてのＬＥＤユニット４０を保持する複数のＬＥＤ取付部材１４が設けられている。
【００１２】
また、本体筐体１０内には、後述する各プロセスカートリッジ５０を着脱自在に収容する装置本体の一部としての本体フレーム１５が設けられている。本体フレーム１５は、左右に一対設けられた金属製のサイドフレーム１５Ａ（片側のみ図示）と、一対のサイドフレーム１５Ａを連結するクロスメンバー１５Ｂが前後に一対設けられている。この本体フレーム１５は、本体筐体１０などに固定されている。サイドフレーム１５Ａは、後述するＬＥＤヘッド４１の発光部の配列方向（主方向といい、本実施形態では、感光ドラム５３の軸方向と同じである。）の両側に配置され、感光ドラム５３を直接的または間接的に支持し、位置決めする部材である。
【００１３】
給紙部２０は、本体筐体１０内の下部に設けられ、本体筐体１０に着脱自在に装着される給紙トレイ２１と、給紙トレイ２１から用紙Ｐを画像形成部３０へ搬送する用紙供給機構２２を主に備えている。用紙供給機構２２は、給紙トレイ２１の手前側に設けられ、給紙ローラ２３、分離ローラ２４および分離パッド２５を主に備えている。
【００１４】
このように構成される給紙部２０では、給紙トレイ２１内の用紙Ｐが、一枚ずつ分離されて上方へ送られ、紙粉取りローラ２６とピンチローラ２７の間を通過する過程で紙粉が除去された後、搬送経路２８を通って後ろ向きに方向転換され、画像形成部３０に供給される。
【００１５】
画像形成部３０は、露光部材の一例としての４つのＬＥＤユニット４０と、４つのプロセスカートリッジ５０と、転写ユニット７０と、定着ユニット８０とから主に構成されている。
【００１６】
プロセスカートリッジ５０は、アッパーカバー１２と給紙部２０との間で前後方向に並んで配置され、図２に示すように、ドラムユニット５１と、ドラムユニット５１に対して着脱自在に装着される現像ユニット６１とを備えている。プロセスカートリッジ５０は、サイドフレーム１５Ａに支持されており、プロセスカートリッジ５０には、感光ドラム５３が支持されている。なお、各プロセスカートリッジ５０は、現像ユニット６１のトナー収容室６６に収容されるトナーの色が相違するのみであり、構成は同一である。
【００１７】
ドラムユニット５１は、ドラムフレーム５２と、ドラムフレーム５２に回転可能に支持される感光体の一例としての感光ドラム５３と、スコロトロン型帯電器５４とを主に備えている。
【００１８】
現像ユニット６１は、現像フレーム６２と、現像フレーム６２に回転可能に支持される現像ローラ６３および供給ローラ６４と、層厚規制ブレード６５とを備え、トナーを収容するトナー収容室６６を有している。プロセスカートリッジ５０は、現像ユニット６１がドラムユニット５１に装着され、これにより、現像フレーム６１とドラムフレーム５２との間に上方から感光ドラム５３を臨める露光穴５５が形成され、この露光穴５５からＬＥＤユニットが挿入される。
【００１９】
転写ユニット７０は、図１に示すように、給紙部２０と各プロセスカートリッジ５０との間に設けられ、駆動ローラ７１、従動ローラ７２、搬送ベルト７３および転写ローラ７４を主に備えている。
【００２０】
駆動ローラ７１および従動ローラ７２は、前後方向に離間して平行に配置され、その間にエンドレスベルトからなる搬送ベルト７３が張設されている。搬送ベルト７３は、その外側の面が各感光ドラム５３に接している。また、搬送ベルト７３の内側には、各感光ドラム５３との間で搬送ベルト７３を挟持する転写ローラ７４が、各感光ドラム５３に対向して４つ配置されている。この転写ローラ７４には、転写時に定電流制御によって転写バイアスが印加される。
【００２１】
定着ユニット８０は、各プロセスカートリッジ５０および転写ユニット７０の奥側に配置され、加熱ローラ８１と、加熱ローラ８１と対向配置され加熱ローラ８１を押圧する加圧ローラ８２とを備えている。
【００２２】
このように構成される画像形成部３０では、まず、各感光ドラム５３の表面が、スコロトロン型帯電器５４により一様に帯電された後、各ＬＥＤユニット４０から照射されるＬＥＤ光により露光される。これにより、露光された部分の電位が下がって、各感光ドラム５３上に画像データに基づく静電潜像が形成される。
【００２３】
また、トナー収容室６６内のトナーが、供給ローラ６４の回転により現像ローラ６３に供給され、現像ローラ６３の回転により現像ローラ６３と層厚規制ブレード６５との間に進入して一定厚さの薄層として現像ローラ６３上に担持される。
【００２４】
現像ローラ６３上に担持されたトナーは、現像ローラ６３が感光ドラム５３に対向して接触するときに、感光ドラム５３上に形成された静電潜像に供給される。これにより、感光ドラム５３上でトナーが選択的に担持されて静電潜像が可視像化され、反転現像によりトナー像が形成される。
【００２５】
次に、搬送ベルト７３上に供給された用紙Ｐが各感光ドラム５３と搬送ベルト７３の内側に配置される各転写ローラ７４との間を通過することで、各感光ドラム５３上に形成されたトナー像が用紙Ｐ上に転写される。
そして、用紙Ｐが加熱ローラ８１と加圧ローラ８２との間を通過することで、用紙Ｐ上に転写されたトナー像が熱定着される。
【００２６】
排紙部９０は、定着ユニット８０の出口から上方に向かって延び、手前側に反転するように形成された排紙側搬送経路９１と、用紙Ｐを搬送する複数対の搬送ローラ９２を主に備えている。トナー像が転写され、熱定着された用紙Ｐは、搬送ローラ９２によって排紙側搬送経路９１を搬送され、本体筐体１０の外部に排出されて排紙トレイ１３に蓄積される。
【００２７】
＜ＬＥＤユニットの構成＞
次に、本発明の特徴部分であるＬＥＤユニット４０およびその接地のための構成について詳細に説明する。
図３に示すように、ＬＥＤユニット４０は、露光部材本体の一例としてのＬＥＤヘッド４１と、保持部材の一例としての露光器フレーム４２と、ローラ支持部材４３と、ガイドローラ４４と、樹脂カバー４５と、サスペンダ４８と、を備えてなる。
【００２８】
ＬＥＤヘッド４１は、下側にＬＥＤからなる複数の発光部が左右方向に一列配列されてなるものである。より具体的には、ＬＥＤヘッド４１は、所定の画素ピッチに応じて配列され、選択的に駆動されて感光ドラム５３の表面を露光する複数のＬＥＤ（発光素子）を支持体で支持したヘッド構造を有するものである。本明細書では、発光部の配列方向を主方向と称し、主方向およびＬＥＤの露光方向（図５の矢印Ａ２参照）に直交する方向、具体的には、感光ドラム５３が並ぶ方向である前後方向を副方向と称する。ＬＥＤヘッド４１の外装は、樹脂で形成されていて、スコロトロン型帯電器５４などの高圧部品からの放電が抑制されている。各発光部は、形成すべき画像のデータに基づいて、図示しない制御装置により信号が入力されて発光し、感光ドラム５３を露光する。
【００２９】
露光器フレーム４２は、ＬＥＤヘッド４１を支持するフレームである。露光器フレーム４２は、金属板を略コ字型断面にプレス加工してなり、導電性を有する。露光器フレーム４２は、感光ドラム５３の軸方向、つまり、左右方向にＬＥＤヘッド４１よりも長く形成されている。具体的には、露光器フレーム４２は、下板４２Ａと、側板４２Ｂと、上板４２Ｃとで、左右方向に延びるコ字型断面の部材を形成している。下板４２Ａの左右方向両端（以下、単に「両端」という。）には、端板４２Ｄが、下板４２Ａの端部の折り曲げにより形成されている。上板４２Ｃには、両端付近に、前側に開いた開口４２Ｅが形成されている。この開口４２Ｅの前側の開口端には、開口４２Ｅを狭めるように開口４２Ｅの左右方向内側に向けて延びる係合爪４２Ｆが形成されている。前記したＬＥＤヘッド４１は、その上面が露光器フレーム４２の下板４２Ａに密着し、２つのクリップ４１Ａにより露光器フレーム４２に取り付けられ、固定されている。
【００３０】
露光器フレーム４２の上板４２Ｃの左右方向両端は突出して延び、アース端子４２Ｇを形成している。
【００３１】
ローラ支持部材４３は、導電性の金属板をプレス加工してなるブラケットであり、露光器フレーム４２の両端の端板４２Ｄにネジ止めされている。ローラ支持部材４３は、下端に、左右方向内側に向けて延びるローラシャフト４３Ａが設けられている。ローラシャフト４３Ａは、ガイドローラ４４を回転可能に支持するシャフトであり、図３（ｂ）に示すように周方向に係合溝４３Ｂが形成されている。
【００３２】
ガイドローラ４４は、間隔保持部材としての略円筒形状のローラであり、感光ドラム５３との間隔を保持する。すなわち、転がり面４４Ａが円筒形状に形成されている。転がり面４４Ａの中心軸には、ローラシャフト４３Ａと嵌合する軸孔４４Ｂが形成されている。ガイドローラ４４は、ローラシャフト４３Ａに軸孔４４Ｂが挿通され、さらにワッシャ４４Ｃが挿入された上で、クリップ４４Ｄを係合溝４３Ｂに係合させることで、ローラシャフト４３Ａに取り付けられている。つまり、ローラシャフト４３Ａの伸びる方向は、ガイドローラ４４の回転軸方向と一致している。
【００３３】
ガイドローラ４４は、図２に示すように、感光ドラム５３の周面５３Ａに接して転がることで、ＬＥＤユニット４０と感光ドラム５３の位置関係を規定、具体的にはＬＥＤヘッド４１の発光部と周面５３Ａの間隔を規定するものである。ガイドローラ４４を構成する材料は特に問わないが、周面５３Ａとの間で適度な摩擦係数を有し、耐摩耗性に優れた材料を使用するのがよい。例えば、ポリアミド系の樹脂を用いることができる。
ガイドローラ４４は、画像形成に影響を与えないようにするため、感光ドラム５３の周面５３Ａのうち、トナーが供給される画像形成範囲（図５において符号Ｗで示す）の外側に配置されている。
【００３４】
樹脂カバー４５は、露光器フレーム４２の両端の金属部分を覆う部材である。左右に計２つ設けられる各樹脂カバー４５は、互いに左右対称に形成されている。樹脂カバー４５は、絶縁性の樹脂部材からなり、露光器フレーム４２の両端面と、両端から所定範囲の部分を覆うように形成されている。樹脂カバー４５の左右方向の外側の端部には、上下方向に延びるガイドリブ４５Ａが突出して形成されている。ガイドリブ４５Ａの上端は、左右端側から見て略三角形の輪郭を有し、この三角形部分の内側に貫通孔４５Ｂが形成されている。貫通孔４５Ｂは、アース端子４２Ｇが挿通されて露出する部分である。
【００３５】
ガイドリブ４５Ａの左右方向の末端の面は、主方向位置決め面４５Ｄである。主方向位置決め面４５Ｄは、主方向においてサイドフレーム１５Ａと当接してＬＥＤユニット４０を主方向に位置決めするためのものである。ガイドリブ４５Ａの前方向の面は、副方向位置決め面４５Ｅである。副方向位置決め面４５Ｅは、副方向においてサイドフレーム１５Ａと当接してＬＥＤユニット４０を副方向に位置決めするためのものである。
【００３６】
サスペンダ４８は、露光器フレーム４２およびＬＥＤヘッド４１を吊り下げ状態に支持する部材である。サスペンダ４８は、左右方向の長さが露光器フレーム４２と同等に形成され、２つの開口４２Ｅに対応した２カ所に係合部材４８Ａが設けられている。係合部材４８Ａは、それぞれ、下から見て左右方向外側に開口したコ字断面の部分が形成されており、このコ字断面の開口４８Ｂが、前記した係合爪４２Ｆと遊びを有しながら係合するようになっている。
【００３７】
各係合部材４８Ａと露光器フレーム４２の間には、圧縮バネ４９がそれぞれ配置されている。圧縮バネ４９は、２つのガイドローラ４４よりは、左右方向内側に配置されている。係合部材４８Ａと露光器フレーム４２の開口４２Ｅおよび係合爪４２Ｆが遊びを有しながら係合された後、図示しない抜け止め部材により係止されると、露光器フレーム４２およびＬＥＤヘッド４１は、圧縮バネ４９により常時下向きに付勢されるようになる。
【００３８】
このようなＬＥＤユニット４０は、図２に示すように、接続リンク１４ＡおよびＬＥＤ取付部材１４を介してアッパーカバー１２に取り付けられる。接続リンク１４Ａは、ＬＥＤ取付部材１４との接続部分および各ＬＥＤユニット４０との接続部分において、図２の側面視において回動可能であり、これにより、ＬＥＤユニット４０の姿勢を自由に変えることができる。そのため、サイドフレーム１５ＡにＬＥＤユニット４０を係合させるのが容易になっている。
【００３９】
各ＬＥＤユニット４０は、アッパーカバー１２に取り付けられた状態において、アッパーカバー１２から下方に伸びている。アッパーカバー１２は、上述したように後側のヒンジ１２Ａを中心に回動して開閉可能であるので、感光ドラム５３とＬＥＤユニット４０は、互いに近接した露光位置と、互いに離れた退避位置とに相対移動可能である。ＬＥＤユニット４０は、露光位置において、下端に設けられたガイドローラ４４が感光ドラム５３の周面５３Ａの上端付近に当接しており、これにより、周面５３ＡとＬＥＤヘッド４１との距離が一定に保たれるようになっている。
【００４０】
図４に示すように、サイドフレーム１５Ａは、４つのＬＥＤユニット４０が装着される箇所のＬＥＤユニット４０の両端部に対応して、前方ガイド１６１および後方ガイド１６２を有している。前方ガイド１６１は、副方向位置決め面４５Ｅの前方に配置され、後方ガイド１６２は、副方向位置決め面４５Ｅの後方に配置されている。
【００４１】
前方ガイド１６１には、略上下方向に延びるリブ１６１Ａが左右方向内側に向けて突出して形成されている。リブ１６１Ａは、ＬＥＤユニット４０の装着時にガイドリブ４５Ａの前側に位置する。リブ１６１Ａの上下両端部は、中央部よりも前後方向に厚い円柱形状となった円柱部１６１Ｃとなっている。円柱部１６１Ｃは、副方向位置決め面４５Ｅと当接して、ＬＥＤユニット４０を副方向に位置決めする部分となる。また、前方ガイド１６１の後側の縁には、リブ１６１Ａに沿って突当部１６１Ｂが設けられている。突当部１６１Ｂは、ＬＥＤユニット４０の主方向位置決め面４５Ｄが当接し得る面となり、右側の突当部１６１ＢはＬＥＤユニット４０の一端側に当接してＬＥＤユニット４０の左右方向の位置を規制するようになっている。
【００４２】
後方ガイド１６２には、下から上へ延びるアーム１６２Ａが設けられている。アーム１６２Ａは、サイドフレーム１５Ａの金属板に回動軸１６２Ｂにおいて回動可能に支持されている。回動軸１６２Ｂの周りには、第２の付勢部材の一例としてのトーションバネ１６２Ｃが設けられて、アーム１６２Ａは、トーションバネ１６２Ｃにより、常時、図４における反時計回りに付勢力が与えられている。
【００４３】
前方ガイド１６１および後方ガイド１６２は、ともに樹脂からなり、これにより、ＬＥＤユニット４０との摺接による摩耗が抑制されている。
【００４４】
サイドフレーム１５Ａには、突当部１６１Ｂの略上方に、露光位置にあるＬＥＤユニット４０のアース端子４２Ｇに対応する開口１５２が形成されている。開口１５２には、図５に示すように、導電性を有する金属板を曲げて形成された付勢部材の一例としての板バネ１５３が設けられている。板バネ１５３は、ＬＥＤユニット４０のアース端子４２Ｇとの当接により撓んで左右方向内側への付勢力を発生するようになっている。左右両側の板バネ１５３は、左側（図５における右側）のものが右側（図５における左側）のものよりも板厚が厚く、付勢力が大きく設定されている。そして、サイドフレーム１５Ａは、図４および図５に示すように電気的に接地されている。
【００４５】
以上のように構成されたカラープリンタ１の作用効果について説明する。参照する図において、図６は、ＬＥＤユニットを露光位置に位置させたときの、副方向の位置決めを説明する図である。なお、図６では、前方ガイド１６１（リブ１６１Ａ）および後方ガイド１６２とＬＥＤユニット４０の係合状態を説明するため、実際の見え方とは別に模式的に示す。
カラープリンタ１のプロセスカートリッジ５０を交換またはメンテナンスするときには、まずアッパーカバー１２を上に回動させて開き、ＬＥＤユニット４０を露光位置から退避位置に移動させる。
【００４６】
本実施形態のカラープリンタ１においては、このようにＬＥＤユニット４０が感光ドラム５３に対して露光位置と退避位置との間を移動可能であるので、ＬＥＤユニット４０の感光ドラム５３に対する位置決めの必要がある。
【００４７】
メンテナンスが終わったら、アッパーカバー１２を下げて閉じる。このとき、ＬＥＤユニット４０の先端（下端）にあるガイドローラ４４は、図２に示すように感光ドラム５３の周面５３Ａに当接する。これにより、周面５３ＡとＬＥＤヘッド４１の発光部との距離は一定に保たれる。
【００４８】
そして、図５に示すように、露光位置に挿入されたＬＥＤユニット４０は、左右のアース端子４２Ｇがそれぞれ対応する板バネ１５３に当接して、両側から左右方向内側に付勢される。しかし、左側の板バネ１５３は、右側の板バネ１５３よりも付勢力が強いので、ＬＥＤユニット４０は、全体として右側に寄せられ、右側の突当部１６１Ｂと右側の主方向位置決め面４５Ｄとが当接して、ＬＥＤユニット４０の主方向の位置決めがなされる。
【００４９】
また、図６に示すように、ガイドリブ４５Ａは、リブ１６１Ａとアーム１６２Ａの間に挿入される。アーム１６２Ａは、トーションバネ１６２Ｃにより、回動軸１６２Ｂ周りに回動され、図６における反時計回り、つまり前方向に付勢されているので、ガイドリブ４５Ａを前方に付勢する。これにより、ガイドリブ４５Ａの副方向位置決め面４５Ｅは、リブ１６１Ａの両端の円柱部１６１Ｃに当接して、ＬＥＤユニット４０は、副方向に位置決めされる。
【００５０】
そして、上述のような主方向の位置決めにおいて、露光器フレーム４２は、アース端子４２Ｇが板バネ１５３に接触し、板バネ１５３がサイドフレーム１５Ａを介して電気的に接地されている。このため、本実施形態のように外装が樹脂により形成されているＬＥＤヘッド４１を用いる場合でも、ＬＥＤヘッド４１の上面に密着した金属製の露光器フレーム４２を介して接地することができる。これにより、ＬＥＤヘッド４１の表面に生じた電荷を十分に除去することができる。また、ＬＥＤヘッド４１に大きな電流が流れて電磁波が発生しても、露光器フレーム４２は、ＬＥＤヘッド４１より左右方向に大きく形成され、ＬＥＤヘッド４１の左右方向両側には、金属製のサイドフレーム１５Ａが設けられているので、これらの部材に電磁波が十分に吸収され、他の機器に電磁波の影響を与えることを抑制することができる。特に、本実施形態においては、左右両側において、上述の構成が採用されているので、接地と電磁波の吸収を十分に行うことができる。また、本実施形態においては、アース端子４２Ｇを主方向の位置決めに用いているので、ＬＥＤヘッド４１の位置決めと、ＬＥＤヘッド４１の接地および電磁波の遮断を同時に行うことができる。さらに、ＬＥＤヘッド４１を樹脂製の外装とすることで、ＬＥＤヘッド４１を小型化し、感光ドラム５３周りのレイアウトの自由度が高まり、カラープリンタ１の小型化を図ることができる。
【００５１】
以上に、本発明の実施形態について説明したが、本発明は前記した実施形態に限定されるものではない。具体的な構成については、本発明の趣旨を逸脱しない範囲で適宜変更が可能である。
【００５２】
例えば、図７は、主方向の位置決めの方法を変更した例の図５に相当する図である。なお、以下に説明しない部分については、前記実施形態と同様の構成である。図７の例においては、右側（図７における左側）の板バネ１５３を省略し、サイドフレーム１５Ａを左右方向内側に折り曲げて、アース端子４２Ｇに対応する位置に突当部２５２を形成している。そして、左側（図７における右側）の板バネ１５３を省略し、右側同様に突当部２５２を形成するとともに、露光器フレーム４２に取り付けられ、貫通孔４５Ｂから外側に突出する金属製の板バネ２５３を設けている。このような形態によっても、板バネ２５３の付勢力により、ＬＥＤユニット４０は右側に付勢されて主方向の位置決めがされると同時に、ＬＥＤヘッド４１の接地も確保される。具体的には、右側については、露光器フレーム４２から、アース端子４２Ｇおよび突当部２５２を介して接地され、左側については、露光器フレーム４２から、板バネ２５３および突当部２５２を介して接地される。
【００５３】
前記実施形態では、露光器の一例として、複数の発光部としてのＬＥＤを複数有する形態を例示したが、この複数の発光部を形成するには、ＬＥＤのような発光素子は一つでもよい。例えば、蛍光灯などのバックライトを一つ用意し、バックライトの外側に、左右方向に一列に並んだ液晶またはＰＬＺＴ素子の光学シャッタを設けてもよい。つまり、１つの発光素子と一列の光学シャッタを合わせることで一列に並んだ複数の発光部を形成することができる。また、発光部は、左右方向に一列に並べる構成ではなく、複数列並べる構成としてもよい。さらに、発光素子は、ＬＥＤに限らず、ＥＬ（エレクトロ・ルミネッセンス）素子や蛍光体などであってもよい。
【００５４】
感光ドラム５３の両側に配置されるサイドフレーム１５Ａ（本体フレーム１５）は、カラープリンタ１の骨組みそのものでも構わないし、複数のプロセスカートリッジ５０をひとまとめにしてカラープリンタ１から着脱する引き出しのフレームであっても構わない。
【図面の簡単な説明】
【００５５】
【図１】画像形成装置の一例としてのカラープリンタの全体構成を示す断面図である。
【図２】図１のＬＥＤユニットおよびプロセスカートリッジの拡大図である。
【図３】（ａ）は、ＬＥＤユニットの分解斜視図であり、（ｂ）は、ガイドローラの拡大斜視図である。
【図４】ＬＥＤユニットとサイドプレートの位置関係を示す側面図である。
【図５】感光ドラムおよびＬＥＤユニットを後から見た図である。
【図６】ＬＥＤユニットを露光位置に位置させたときの、副方向の位置決めを説明する図である。
【図７】主方向の位置決めの方法を変更した例の図５に相当する図である。
【符号の説明】
【００５６】
１      カラープリンタ
１２    アッパーカバー
１５    本体フレーム
１５Ａ  サイドフレーム
２０    給紙部
３０    画像形成部
４０    ＬＥＤユニット
４１    ＬＥＤヘッド
４２    露光器フレーム
４２Ａ  下板
４２Ｂ  側板
４２Ｃ  上板
４２Ｄ  端板
４２Ｆ  係合爪
４２Ｇ  アース端子
４４    ガイドローラ
４５    樹脂カバー
４５Ａ  ガイドリブ
５０    プロセスカートリッジ
５３    感光ドラム
５３Ａ  周面
７０    転写ユニット
８０    定着ユニット
９０    排紙部
１５３  板バネ
１６１  前方ガイド
１６１Ｂ  突当部
１６１Ｃ  円柱部
１６２  後方ガイド
１６２Ａ  アーム
１６２Ｃ  トーションバネ
【図１】
0005151470.tif 000002
【図２】
0005151470.tif 000003
【図３】
0005151470.tif 000004
【図４】
0005151470.tif 000005
【図５】
0005151470.tif 000006
【図６】
0005151470.tif 000007
【図７】
0005151470.tif 000008